(57)【要約】【課題】  浴槽を洗浄する場合は、過酸化水素水または、苛性ソーダ、あるいは塩酸または硫酸を含有する洗浄剤を浴槽水に添加し、洗浄する方法がある。しかしながら、この洗浄方法では洗浄後、浴槽内に雑菌やレジオネラ菌が残留することがある。【解決手段】本発明による洗浄方法は、第一段階にカセイソーダまたはカセイカリ、第二段階に過酸化水素、第三段階に次亜塩素酸ソーダもしくは二酸化塩素水を相ついて追加使用した風呂用洗浄剤であって、浴槽水を、一定時間循環することにより、残留するレジオネラ菌などの雑菌を簡素に分解、除去する方法である。【特許請求の範囲】
【請求項１】
第一段階の洗浄剤としてカセイソーダまたはカセイカリを１〜１０％（以下すべて重量比％）アニオン界面活性剤またはノニオン界面活性剤を０．１〜２％を含有する洗浄剤配合し、この浴槽水を１０分間循環して汚物を剥離する。
そのあと、第二段階の洗浄剤として、３５％過酸化水素水溶液を５〜３０％含有する溶液を第一段階の処理後の浴槽水に１０〜５０％追加添加し、１０分循環する。
さらに、第三段階の殺菌を兼ねた洗浄剤として、カセイソーダまたはカセイカリを１〜１０％、次亜塩素酸ソーダまたは二酸化塩素を１〜１０％配合した薬剤を、第二段階の処理後の浴槽水に追加添加し、５〜１０分循環し、水ゆすぎして洗浄殺菌作業を完了する洗浄方法である。
【発明の詳細な説明】
【技術分野】
【０００１】本発明は、レジオネラ菌を完全かつ安全に除去する目的を果たすべく、一般公衆浴場及び家庭浴場で用いる洗浄剤関するものである。【０００２】通常、浴槽水系に付着している有機質の汚物を洗浄することで、浴槽水系の衛生面を確保するのが一般的である洗浄方法としては、カセイソーダまたはカセイカリの水溶液、さらにアニオン界面活性剤またはノニオン界面活性剤を追加添加した配合洗浄剤を浴槽水に添加し、一定時間滞留するか、循環し、浴槽水系に付着している汚物を剥離し、水ゆすぎを実施して、洗浄を完了する方法が最も一般的である。【０００３】また、浴槽水系に付着している炭酸カルシウムなど、無機質と有機質の混合した汚物を洗浄する方法としては、塩酸または硫酸を適量含有するものに、さらにアニオン界面活性剤またはノニオン界面活性剤を適量含有する洗浄剤を浴槽水に添加し、一定時間滞留するか、循環し、浴槽水系に付着している処理対象の汚物を浴槽水中に溶解もしくは剥離し、水ゆすぎを実施して、洗浄を完了する方法も多く採用されている。
また、時には、カセイアルカリ、アニオン界面活性剤またはノニオン界面活性剤、過酸化水素を単族で洗浄剤として使用する場合もある。【０００４】一方、最新の洗浄技術としては、本特許の出願人が発明したもので、添付した特許文献、特開２０１０−２２９５１があり、その内容は、第一段階の洗浄剤としてカセイソーダまたはカセイカリ、さらに過酸化水素の分解触媒となる過マンガン酸カリなどの重金属触媒を添加した配合薬剤を浴槽水に添加したるあと、循環することで設備内における付着物の上に触媒を固着せしめたる後、第二段階の洗浄剤として過酸化水素水を追加添し、循環した後、水ゆすぎして洗浄を完了する方法がある。【０００５】第一段階の洗浄剤としてカセイソーダまたはカセイカリを１〜１０％（以下すべて重量比％）アニオン界面活性剤またはノニオン界面活性剤を０．１〜２％を含有する洗浄剤配合し、これを浴槽水に２〜１０％添加し、５〜１０分滞留するか、既設の循環ポンプで５から１０分間循環して汚物を剥離する。【０００６】そのあと、第二段階の洗浄剤として、３５％過酸化水素水溶液を５〜３０％含有する溶液を第一段階の処理後の浴槽水に追加添加し、５〜１０分滞留するか、既設の循環ポンプを使用して５から１０分循環する。【０００７】さらに、第三段階の殺菌を兼ねた洗浄剤としてカセイソーダまたはカセイカリを１〜１０％、次亜塩素酸ソーダまたは二酸化塩素を１〜１０％配合した薬剤を、第二段階の処理後の浴槽水に追加添加し、５〜１０分滞留するか、既設の循環ポンプを使用して５から１０分循環し、水ゆすぎして洗浄殺菌作業を完了する洗浄技術である。
【先行技術文献】
【特許文献】
【０００８】
【特許文献１】特開平０８−０４０７０４  公報
【０００９】
【特許文献２】特開平１０−１６８４２５  公報
【００１０】
【特許文献３】特開２００１−３２２９０２  公報
【００１１】」
【特許文献４】特開２００５−５３９１００  公報
【００１２】
【特許文献５】特開２０１０−２５４７０６  公報
【００１３】。
【特許文献６】特開２０１０−２２９５１  公報
【背景技術】
【００１４】  通常、浴槽水系に付着している有機質の汚物を洗浄する方法としては、カセイソーダまたはカセイカリの１〜１０％、アニオン界面活性剤またはノニオン界面活性を０．１〜５％含有する洗浄剤を浴槽水に１〜１０％添加し、５から１０分滞留するか、循環し、浴槽水系に付着している汚物を剥離し、水ゆすぎを実施して、洗浄を完了する方法が一般的である。【００１５】浴槽水系に付着している炭酸カルシウムなど、無機質と有機質の混合した汚物を洗浄する方法としては、塩酸または硫酸を１〜１０％さらにアニオン界面活性剤またはノニオン界面活性剤を０．１〜２％含有する洗浄剤を浴槽水に１〜１０％添加し、５から１０分滞留するか、循環し、浴槽水系に付着している処理対象の汚物を浴槽水中に溶解もしくは剥離し、水ゆすぎを実施して、洗浄を完了する方法がある。
上記の洗浄方法は、一般公衆浴場、及び家庭浴場の洗浄剤として多用されている。【００１６】  最新の洗浄技術としては、本特許の出願人が発明したもので、添付したような特許文献、特開２０１０−２２９５１があり、その内容は、第一段階の洗浄剤としてカセイソーダまたはカセイカリ、さらに過酸化水素の分解触媒となる過マンガン酸カリなどの重金属触媒を添加した配合薬剤を浴槽水に添加したるのち、滞留または循環することで設備内における付着物の上に触媒を固着せしめたる後、第二段階の洗浄剤として過酸化水素水を追加添し、循環した後、水ゆすぎして洗浄を完了する方法がある。
【発明の概要】
【発明が解決しようとする課題】
【００１７】浴槽水系の付着物の洗浄方法としての従来の方法では洗浄後、浴槽内に雑菌が残留することがたびたびある。
特に最近問題とされるレジオネラ菌が残留する場合には、再洗浄を必要とするなど、過大な洗浄作業の負担が発生する。
そのため、レジオネラ菌などの雑菌をより完全にかつ簡素に除去する方法が望まれる。
【課題を解決するための手段】
【００１８】本発明による洗浄剤は、レジオネラ菌を完全かつ安全に除去する目的を果たすべく、一般公衆浴場、及び家庭浴場の洗浄剤として提供されるものである。【００１９】浴槽水の汚物洗浄に際しては、浴槽水の水量を減らしたのち、洗浄作業に入ることが好ましい。【００２０】まず、第一段階の洗浄剤としてカセイソーダまたはカセイカリとアニオン界面活性剤またはノニオン界面を含有する洗浄剤配合し、これを浴槽水に添加加し、５〜１０分滞留するか、既設の循環ポンプで５から１０分し、循環して汚物を剥離する。【００２１】そのあと、第二段階の洗浄剤として、過酸化水素水溶液をする溶液を第一段階の処理後の浴槽水に追加添加し、循環する。
さらに、第三段階の洗浄剤としてカセイソーダまたはカセイカリの水溶液を添加し、循環する。水ゆすぎして洗浄殺菌作業を完了する。
【発明の効果】
【００２２】［実施例１］の第二段階の処理後の浴槽水サンプル水においては、雑菌類は２０個の集落、レジオネラ菌については集落を検出した。
さらに、第三段階の殺菌を兼ねた洗浄後、水ゆすぎ後のサンプル水におおいては、雑菌類の集落、レジオネラ菌の集落は検出されなかった。
また、添府した分析書のようにＤＮＡ法によるレジオネラ菌は検出されなかった。【００２３】［実施例１の第二段階の処理後の浴槽水サンプル水においては、雑菌類は１５個の集落、レジオネラ菌については１２個集落を検出した。
さらに、第三段階の殺菌を兼ねた洗浄後、水ゆすぎ後のサンプル水においては、雑菌類の集落、レジオネラ菌の集落を検出しなかった。
【発明を実施するための形態】
【００２４】浴槽水の汚物洗浄に際しては、まず、浴槽水の水量を満水状態から３０％程度に減らしたのち、洗浄作業に入ることが好ましい。
このことで、洗浄剤濃度を上げた条件で実施することができる。
【００２５】まず、第一段階の洗浄剤としてカセイソーダまたはカセイカリを１〜１０％（以下すべて重量比％）アニオン界面活性剤またはノニオン界面活性剤を０．１〜２％を含有する洗浄剤配合し、これを浴槽水に２〜１０％添加し、５〜１０分滞留するか、既設の循環ポンプで５から１０分間循環して汚物を剥離する。
【００２６】そのあと、第二段階の洗浄剤として、３５％過酸化水素水溶液を５〜３０％含有する溶液を第一段階の処理後の浴槽水に追加添加し、５〜１０分滞留するか、既設の循環ポンプを使用して５から１０分循環する。
さらに、第三段階の殺菌を兼ねた洗浄剤としてカセイソーダまたはカセイカリを１〜１０％、次亜塩素酸ソーダまたは二酸化塩素を１〜１０％配合した薬剤を、第二段階の処理後の浴槽水に追加添加し、５〜１０分滞留するか、既設の循環ポンプを使用して５から１０分循環し、水ゆすぎして洗浄殺菌作業を完了する洗浄技術である。
【実施例１】
【００２７】  浴槽水の汚物洗浄に際しては、まず、浴槽水の水量を満水状態から３０％程度に減らしたのち、洗浄作業に入る。
第一段階の洗浄剤としてカセイソーダを１０％、（以下すべて重量比％）アニオン界面活性剤としてポリオキシエチレンラウリルエーテル硫酸ナトリウム０．２％を含有する洗浄剤配合し、これを浴槽水に１０％添加し、８分間既設の循環ポンプで循環して汚物を剥離する。【００２８】そのあと、第二段階の洗浄剤として、３５％過酸化水素水溶液を５％含有する溶液を第一段階の処理後の浴槽水に追加添加し、５分間循環する。
よく水洗した、５００ｍｌポリ容器に第二段階の処理後の浴槽水をサンプル水として５００ｍｌ採り、菌類を分析する資料とする。【００２９】さらに、第三段階の殺菌を兼ねた洗浄剤としてカセイソーダを１０％、次亜塩素酸ソーダを５％配合した薬剤を、第二段階の処理後の浴槽水に追加添加し、１０分間循環し、水ゆすぎして洗浄殺菌作業を完了する。【００３０】その直後、浴槽水に水をはり、よく水洗した、５００ｍｌポリ容器にサンプル水５００ｍｌ採り、菌類を分析する資料とする。
【実施例２】
【００３１】  浴槽水の汚物洗浄に際しては、まず、浴槽水の水量を満水状態から３０％程度に減らしたのち、洗浄作業に入る。【００３２】第一段階の洗浄剤としてカセイカリを８％、アニオン界面活性剤としてポリオキシエチレンラウリルエーテル硫酸ナトリウム０．２％を含有する洗浄剤配合し、これを浴槽水に１０％添加し、８分間既設の循環ポンプで循環して汚物を剥離する。【００３３】そのあと、第二段階の洗浄剤として、３５％過酸化水素水溶液を５％含有する溶液を第一段階の処理後の浴槽水に追加添加し、５分間循環する。
第二段階の汚物を含む浴槽水をよく水洗した、５００ｍｌポリ容器にサンプル水ちして５００ｍｌ採り、菌類を分析する資料とする。【００３４】さらに、第三段階の殺菌を兼ねた洗浄剤としてカセイカリを５％、次亜塩素酸ソーダを５％配合した薬剤を、第二段階の処理後の浴槽水に追加添加し、１０分間循環し、水ゆすぎして洗浄殺菌作業を完了する。【００３５】その直後、浴槽水に水をはり、サンプル水５００ｍｌ採る。